(57)【要約】【課題】、室内で安全に映像表示装置の効果を確認することができるシミュレーションシステムを提供する。【解決手段】シミュレーションシステムは、使用者の身体に装着して使用され、装着者の眼前で映像を表示する映像表示装置と、前記映像表示装置における表示条件を入力するための操作手段と、前記操作手段を介して入力された表示条件に応じた試験映像を前記映像表示装置に出力し表示させるとともに、その試験映像の観察結果に応じて表示条件の変更情報が入力されると、変更後の表示条件に応じた試験映像を前記映像表示装置により表示させる表示制御手段と、前記試験映像の観察結果に応じて表示条件の設定が前記操作手段を介して指示されると、当該表示条件を前記映像表示装置に記憶させ、表示条件の設定を行う条件設定手段と、を備え、前記映像表示装置は、表示条件の設定後、前記記憶された表示条件に従って表示を行う。【選択図】図１
2006208999.tif 000002
【特許請求の範囲】
【請求項１】
使用者の身体に装着して使用され、所定の表示条件に従って装着者の眼前で映像を表示する映像表示装置において、
映像表示装置における表示条件を外部から検出可能とすることを特徴とする映像表示装置。
【請求項２】
請求項１に記載の映像表示装置と、
前記映像表示装置における表示条件を入力するための操作手段と、
前記映像表示装置により試験映像を表示させるとともに、当該映像表示装置における表示条件を、前記操作手段を介して入力された表示条件に変更し、当該変更された表示条件で試験映像を表示させる表示制御手段と、
を備えることを特徴とするシミュレーションシステム。
【請求項３】
試験映像を表示する表示手段と、
映像表示装置における表示条件を入力するための操作手段と、
請求項１に記載の映像表示装置であって、撮影手段により前記表示手段によって表示された試験映像を撮影し、前記操作手段を介して入力された表示条件に従ってその撮影映像を装着者の眼前で表示する映像表示装置と、
前記試験映像の観察結果に応じた表示条件の変更情報が前記操作手段を介して入力されると、変更後の表示条件に従って前記映像表示装置における撮影映像を表示させる表示制御手段と、
を備えることを特徴とするシミュレーションシステム。
【請求項４】
前記操作手段を介して試験映像の観察結果に応じて表示条件の設定が指示されると、当該表示条件を前記映像表示装置に記憶させ、表示条件の設定を行う条件設定手段を備え、
前記映像表示装置は、表示条件の設定後、前記記憶された表示条件に従って表示を行うことを特徴とする請求項２又は３に記載のシミュレーションシステム。
【請求項５】
前記映像表示装置の装着者の動作を検出する検出手段を備え、
前記操作手段を介して装着者が動作する毎に表示条件を入力可能とし、
前記条件設定手段は、前記操作手段を介して表示条件が入力されると、その入力時に前記検出手段により検出された動作の情報とともに当該入力された表示条件を前記映像表示装置に記憶させ、
前記映像表示装置は、表示条件の設定後、前記検出手段により装着者の動作が検出されると、当該検出された動作に対応する表示条件で表示を行うことを特徴とする請求項４に記載のシミュレーションシステム。
【請求項６】
前記表示手段は、異なる表示条件に応じた試験映像を並べて表示することを特徴とする請求項５に記載のシミュレーションシステム。
【請求項７】
前記試験映像の観察結果の情報を、その試験映像の表示条件の情報と関連づけて記憶する結果記憶手段を備えることを特徴とする請求項６に記載のシミュレーションシステム。
【請求項８】
使用者の身体に装着して使用され、予め設定された表示条件に応じた試験映像を装着者の眼前で表示する映像表示装置と、
前記映像表示装置の装着者の動作を検出する検出手段と、
前記検出手段からの検出情報に基づいて、装着者の動作が予め定められた基準に適合するか否かを判別する判別手段と、
前記判別手段による判別結果を前記映像表示装置に表示させる表示制御手段と、
を備えることを特徴とするシミュレーションシステム。
【請求項９】
試験映像を表示する表示手段と、
使用者の身体に装着して使用され、撮影手段により前記表示手段上に表示された試験映像を撮影し、その撮影映像を予め設定された表示条件に従って装着者の眼前で表示する映像表示装置と、
前記映像表示装置の装着者の動作を検出する検出手段と、
前記検出手段からの検出情報に基づいて、装着者の動作が予め定められた基準に適合するか否かを判別する判別手段と、
前記判別手段による判別結果を前記表示手段上に表示させる表示制御手段と、
を備えることを特徴とするシミュレーションシステム。
【発明の詳細な説明】
【技術分野】
【０００１】
本発明は、使用者の身体に装着して使用され、使用者の眼前で映像を表示する映像表示装置及び屋外で映像表示装置を使用した場面をシミュレーションすることができるシミュレーションシステムに関する。
【背景技術】
【０００２】
使用者の身体に装着し、携帯することができるウェラブルディスプレイ（以下、WDという）と呼ばれる小型の映像表示装置が開発されている。ＷＤは様々なタイプのものが開発されており、例えば頭部に装着するヘッドマウンテン型、眼鏡フレームと一体となった眼鏡型等が挙げられる。何れのタイプでも、ＷＤは携帯性に優れているため使用場所を選ばず、しかもハンズフリーであるため使用者は映像を見ながら作業をすることができる。
【０００３】
上記眼鏡型のＷＤでは、表示する映像を透過して外界を視認することができるシースルータイプのものが開発されている。このシースルータイプでは、通常の肉眼で見える視界を遮ることなく映像を提供することができるため、弱視等の視覚障害者によって、第２の眼として補助的に利用されることも多い。
【０００４】
視覚障害者にはその症状に個人差があり、例えば画角が３０度と狭い人や、色を見分けることが困難な人等、様々である。このような状況に応じて、従来から、視覚条件に応じた仕様のメガネを注文することができるシステムが開発されており（例えば、特許文献１参照）、ＷＤにおいても使用者の視覚条件に応じて表示条件を設定できるように要望されている。また、使用者の視覚条件に合わせて仕様を設定した場合、実際にその仕様が使用者に合っているかどうかを確認するためにＷＤを試験的に使用してみたいという要望もある。
【特許文献１】特開２００１−３５０９８２号公報
【発明の開示】
【発明が解決しようとする課題】
【０００５】
しかし、ＷＤに設定した表示条件による効果を確認するために、実際に使用者がＷＤを装着し、わざわざ屋外へ出て試すのは煩雑である。また、初めての仕様のＷＤを装着する場合、使用者がその仕様や使用方法に不慣れであり、屋外で試すには危険が伴う可能性がある。
【０００６】
本発明の課題は、室内で安全に映像表示装置の効果を確認することができるシミュレーションシステムを提供することである。
【課題を解決するための手段】
【０００７】
請求項１に記載の発明は、
使用者の身体に装着して使用され、所定の表示条件に従って装着者の眼前で映像を表示する映像表示装置において、
映像表示装置における表示条件を外部から検出可能とすることを特徴とする。
【０００８】
請求項２に記載の発明は、シミュレーションシステムにおいて、
請求項１に記載の映像表示装置と、
前記映像表示装置における表示条件を入力するための操作手段と、
前記映像表示装置により試験映像を表示させるとともに、当該映像表示装置における表示条件を、前記操作手段を介して入力された表示条件に変更し、当該変更された表示条件で試験映像を表示させる表示制御手段と、
を備えることを特徴とする。
【０００９】
請求項３に記載の発明は、シミュレーションシステムにおいて、
試験映像を表示する表示手段と、
映像表示装置における表示条件を入力するための操作手段と、
請求項１に記載の映像表示装置であって、撮影手段により前記表示手段によって表示された試験映像を撮影し、前記操作手段を介して入力された表示条件に従ってその撮影映像を装着者の眼前で表示する映像表示装置と、
前記試験映像の観察結果に応じた表示条件の変更情報が前記操作手段を介して入力されると、変更後の表示条件に従って前記映像表示装置における撮影映像を表示させる表示制御手段と、
を備えることを特徴とする。
【００１０】
請求項４に記載の発明は、請求項２又は３に記載のシミュレーションシステムにおいて、
前記試験映像の観察結果に応じて表示条件の設定が指示されると、当該表示条件を前記映像表示装置に記憶させ、表示条件の設定を行う条件設定手段を備え、
前記映像表示装置は、表示条件の設定後、前記記憶された表示条件に従って表示を行うことを特徴とする。
【００１１】
請求項５に記載の発明は、請求項４に記載のシミュレーションシステムにおいて、
前記映像表示装置の装着者の動作を検出する検出手段を備え、
前記操作手段を介して装着者が動作する毎に表示条件を入力可能とし、
前記条件設定手段は、前記操作手段を介して表示条件が入力されると、その入力時に前記検出手段により検出された動作の情報とともに当該入力された表示条件を前記映像表示装置に記憶させ、
前記映像表示装置は、表示条件の設定後、前記検出手段により装着者の動作が検出されると、当該検出された動作に対応する表示条件で表示を行うことを特徴とする。
【００１２】
請求項６に記載の発明は、請求項５に記載のシミュレーションシステムにおいて、
前記表示手段は、異なる表示条件に応じた試験映像を並べて表示することを特徴とする。
【００１３】
請求項７に記載の発明は、請求項６に記載のシミュレーションシステムにおいて、
前記試験映像の観察結果の情報を、その試験映像の表示条件の情報と関連づけて記憶する結果記憶手段を備えることを特徴とする。
【００１４】
請求項８に記載の発明は、シミュレーションシステムにおいて、
使用者の身体に装着して使用され、予め設定された表示条件に応じた試験映像を装着者の眼前で表示する映像表示装置と、
前記映像表示装置の装着者の動作を検出する検出手段と、
前記検出手段からの検出情報に基づいて、装着者の動作が予め定められた基準に適合するか否かを判別する判別手段と、
前記判別手段による判別結果を前記映像表示装置に表示させる表示制御手段と、
を備えることを特徴とする。
【００１５】
請求項９に記載の発明は、シミュレーションシステムにおいて、
試験映像を表示する表示手段と、
使用者の身体に装着して使用され、撮影手段により前記表示手段上に表示された試験映像を撮影し、その撮影映像を予め設定された表示条件に従って装着者の眼前で表示する映像表示装置と、
前記映像表示装置の装着者の動作を検出する検出手段と、
前記検出手段からの検出情報に基づいて、装着者の動作が予め定められた基準に適合するか否かを判別する判別手段と、
前記判別手段による判別結果を前記表示手段上に表示させる表示制御手段と、
を備えることを特徴とする。
【発明の効果】
【００１６】
請求項１に記載の発明によれば、映像表示装置における表示条件を外部から検出することができるので、映像表示装置により映像を観察した際に、その表示条件がどのような条件であるかを把握することができる。
【００１７】
請求項２に記載の発明によれば、指定された表示条件に応じた試験映像を映像表示装置に表示させるので、表示条件を変えながら、試験映像により屋外で映像表示装置を使用した場面を室内で容易にシミュレーションすることができる。
【００１８】
請求項３に記載の発明によれば、試験映像を表示手段上に表示して、当該表示された試験映像を映像表示装置において撮影し、その撮影映像を入力された表示条件に応じて装着者の眼前で表示するので、試験映像により屋外で映像表示装置を使用した場面を容易にシミュレーションすることができる。また、映像表示装置が表示画像と外界像を同時に視認可能な構成である場合、表示手段上に表示された試験映像により擬似的な外界を観察し、同時に映像表示装置により表示された撮影映像を観察することができ、実際の状況に非常に近い形でシミュレーションすることができる。
【００１９】
請求項４に記載の発明によれば、様々な表示条件による試験映像を映像表示装置で観察し、その観察結果に応じて最も適切な表示条件を映像表示装置に設定することができ、映像表示装置の仕様をより装着者に応じたものとすることができる。
【００２０】
請求項５に記載の発明によれば、装着者の動作毎に表示条件を設定することができ、映像表示装置の仕様をより装着者に応じたものとすることができる。
【００２１】
請求項６に記載の発明によれば、並べて表示された各表示条件の試験映像を比較することができ、装着者に適した表示条件を設定しやすい。
【００２２】
請求項７に記載の発明によれば、どのような表示条件のときにどのような観察結果であったのかを記録を残すことができ、後に表示条件を変更する等の場合に参照することができる。
【００２３】
請求項８に記載の発明によれば、映像表示装置に設定された表示条件で試験映像を表示するので、屋外で映像表示装置を使用した場面を室内で容易にシミュレーションすることができる。また、その試験映像に対応して行われた装着者の動作が基準に適合するかどうかを判断した結果を表示するので、シミュレーションにより映像表示装置の使用方法を習得したり、練習したりすることができる。
【００２４】
請求項９に記載の発明によれば、試験映像を表示手段上に表示して、当該表示された試験映像を映像表示装置において撮影し、その撮影映像を入力された表示条件に応じて装着者の眼前で表示するので、屋外で映像表示装置を使用した場面を室内で容易にシミュレーションすることができる。また、その試験映像に対応して行われた装着者の動作が基準に適合するかどうかを判断した結果を表示するので、シミュレーションにより映像表示装置の使用方法を習得したり、練習したりすることができる。また、映像表示装置が表示画像と外界像を同時に視認可能な構成である場合、表示手段上に表示された試験映像により擬似的な外界を観察し、同時に映像表示装置により表示された撮影映像を観察することができ、実際の状況に非常に近い形でシミュレーションすることができる。
【発明を実施するための最良の形態】
【００２５】
〈第１実施形態〉
第１実施形態では、映像表示装置における表示条件を設定する際に、映像表示装置により各表示条件で映像を表示し、実際に屋外で使用した場面をシミュレーションする例について説明する。なお、表示条件としては、画角、色、コントラスト、鮮鋭性、輝度範囲等が含まれるが、以下の説明では画角及びコントラストを設定する例について説明する。
【００２６】
図１に、第２実施形態におけるシミュレーションシステム１を示す。
シミュレーションシステム１は、映像表示装置Ａを試験的に装着し、プロジェクタＰにシミュレーション用の試験映像を表示して、当該表示された試験映像を映像表示装置Ａにおいて撮影及び表示することにより、その表示状態をシミュレーションし、最終的に映像表示装置Ａに設定する表示条件を決定するシステムである。
【００２７】
まず、構成について説明する。
図１に示すように、シミュレーションシステム１は、映像表示装置Ａ及びプロジェクタＰを備えて構成されている。
以下、各構成装置である映像表示装置Ａ及びプロジェクタＰについて説明する。
【００２８】
映像表示装置Ａは、眼鏡フレームと一体に形成されたＷＤであり、撮影手段を備えて撮影された映像や装置内に予め記憶されている映像等を、装着者の眼前で表示するものである。
図２に、映像表示装置Ａを示す。
図２に示すように、映像表示装置Ａは、表示ユニット２０が設けられた眼鏡フレーム本体と、コントロールボックス５０とを備えて構成されている。
【００２９】
眼鏡フレームは、左右対称に設けられたレンズ１１Ｒ、１１Ｌ、鼻あて１２Ｒ、１２Ｌ、ユーザ頭部への保持部材であるテンプル１３Ｒ、１３Ｌ、ブリッジ１５を備えて構成されている。
表示ユニット２０は、映像投射部２０ａ、接眼光学系２０ｂを備えて構成されている。映像投射部２０ａはレンズ１１Ｒに設けられ、当該レンズ１１Ｒにはプリズム２４、ホログラフィック光学素子（以下、ＨＯＥ；Holographic Optical Elementという）２５が一体に形成されて、映像投射部２０ａから発せられた映像の光学像（以下、映像光という）をユーザの眼前に導く接眼光学系２０ｂを構成している。
【００３０】
図３に、映像投射部２０ａ、接眼光学系２０ｂの内部構成を示し、映像の表示方法について説明する。なお、映像には、静止画像、動画像の何れも含まれるものとする。
図３に示すように、映像投射部２０ａは、ＬＥＤ（Light Emitting Diode）２１、コンデンサレンズ２２、ＬＣＤ（Liquid Crystal Display）２３を備えて構成され、接眼光学系２０ｂは、プリズム２４、ＨＯＥ２５を備えて構成されている。
【００３１】
ＬＥＤ２１は、ＬＣＤ２３を照明するための発光源であり、コンデンサレンズ２２はＬＥＤ２１が発した光をＬＣＤ２３の全面に均一に導くための照明光学系である。ＬＣＤ２３は、映像を表示する透過型の表示装置であり、ＬＥＤ２１からの照明光を受けてプリズム２４側に映像光を発する。
【００３２】
上記映像投射部２０ａは筐体により覆われ、この筐体によりプリズム２４が挟まれている。プリズム２４は、透明なガラス又は樹脂等からなり、平板状に形成されたものである。プリズム２４は、右眼用のレンズ１１Ｒの一部に埋め込まれており、その下端部にはＨＯＥ２５が形成されている。ＨＯＥ２５は、プリズム２４とレンズ１１Ｒをホログラム基板として、その間に挟まれるように配置されている。ＨＯＥ２５は、ホログラム基板面に対して平行でない干渉縞からなる２つの干渉縞パターンを有しており、この干渉縞パターンの回折作用によって、ＨＯＥ２５に入射した光は回折反射してユーザの眼Ｅに導かれる。
【００３３】
すなわち、ＬＣＤ２３から発せられた映像光は、プリズム２４により反射を複数回繰り返しながらＨＯＥ２５に導かれると、ＨＯＥ２５により回折して平行光に近い光束となってユーザの眼Ｅに入射する。これにより、ユーザに対して映像を表示することができる。
【００３４】
図２に戻り、他の構成部について説明する。
テンプル１３Ｒには、撮影ユニット３０が取り付けられており、この撮影ユニット３０はケーブルを介して表示ユニット２０及びコントロールボックス５０に接続されている。
【００３５】
撮影ユニット３０は、光学レンズ、ＣＣＤ（Charge Coupled Device）等の光電変換素子、Ａ／Ｄ変換部等から構成される撮影手段であり、光学レンズを介して入力される被写体像をＣＣＤにより光電変換して画像信号を生成する。そして、Ａ／Ｄ変換部によりアナログ画像信号からデジタル画像データを得て、当該デジタル画像データをコントロールボックス５０内の制御ユニット（制御ユニットについては後述する）に出力する。これを連続的に行うことにより、動画像、つまり撮影映像のデータを出力することができる。
【００３６】
コントロールボックス５０には、そのボックス本体に電源をＯＮ／ＯＦＦする電源ボタン５３ａ、表示ユニット２０により表示する映像画面の切り替え操作を行うための画面切替ボタン５３ｂが設けられている。
【００３７】
次に、図４を参照して映像表示装置Ａの機能的構成について説明する。
図４に示すように、映像表示装置Ａは、表示ユニット２０、撮影ユニット３０及びコントロールボックス５０等から構成されており、コントロールボックス５０内には、制御ユニット５１、画像処理ユニット５２、入力ユニット５３、メモリ５４、Ｉ／Ｆ５５、センサＣ１の各部が内蔵されている。
【００３８】
以下、各部について説明するが、表示ユニット２０及び撮影ユニット３０については、上述したので、ここでは説明を省略する。
制御ユニット５１は、ＣＰＵ（Central Processing Unit）やＲＡＭ（Random Access Memory）等を備えて構成され、ＣＰＵによりメモリ５４から各種制御プログラムを読み出してＲＡＭに展開し、当該制御プログラムに従って処理を実行し、各種演算を行うとともに映像表示装置Ａの各部を集中制御する。
【００３９】
例えば、入力ユニット５３を介して表示条件が入力されると、当該表示条件に応じた内容となるように画像処理ユニット５２により画像処理を行わせた後、表示ユニット２０により表示させる。同様に、表示条件の変更が指示されると、変更後の表示条件に従って画像処理ユニット５２により画像処理された撮影映像を表示ユニット２０により表示させる。また、入力ユニット５３を介して表示条件の設定が指示されると、当該表示条件の情報をメモリ５５に記憶させて、表示条件の設定を行う。さらに、プロジェクタＰに対する表示制御を行う。すなわち、制御プログラムと制御ユニット５１との供働により、表示制御手段及び条件設定手段を実現することができる。
【００４０】
画像処理ユニット５２は、入力された画像データに対して、濃度変換処理、色変換処理、縮小／拡大処理等の各種画像処理を施す。また、後述する試験映像の画角やコントラストを変えたり、試験映像に含まれるオブジェクトの位置や大きさを変更する。
【００４１】
入力ユニット５３は、電源ボタン５３ａ、画面切替ボタン５３ｂ等の各種指示ボタンを備えて構成され、操作されたボタンに対応する操作信号を生成して制御ユニット５１に出力する。
【００４２】
メモリ５４は、各種制御プログラム及びプログラムの実行に必要なパラメータや処理結果等のデータを記憶している。
また、メモリ５４は、プロジェクタＰにより表示するための試験映像を記憶している。
試験映像は、複数のフレーム画像から構成される動画像であり、例えば駅のホームや道路等、装着者が外界を歩行する場面を想定して作成されるものである。この試験映像は、画角等の表示条件や、試験映像に含まれるオブジェクト（例えば、木や水たまり、駅のホームにおける白線等、装着者の障害物或いは目印になるような物体）の位置や大きさ等を変更可能に作成されている。
【００４３】
Ｉ／Ｆ５５は、プロジェクタＰと接続するためのインターフェイスであり、映像表示装置ＡとプロジェクタＰ間の情報のやり取りを仲介する。
【００４４】
センサＣ１は、映像表示装置Ａの装着者の動作を検出するための検出手段であり、ここでは装着者の動作による移動方向を検出するためにジャイロセンサが適用された例を説明する。センサＣ１は、装着者の回転方向における角加速度を検出し、当該検出情報を制御ユニット５１に出力する。ここでは、映像表示装置ＡにセンサＣ１が組み込まれた例を説明するが、センサＣ１は別体構成とし、直接映像表示装置Ａの装着者の頭部等に身につけることとしてもよい。
【００４５】
次に、プロジェクタＰについて説明する。
プロジェクタＰは、映像表示装置Ａの制御ユニット５１による表示制御に従って、映像表示装置Ａから入力された映像をスクリーン上に投影して表示する表示手段である。
【００４６】
次に、図５を参照して、上記シミュレーションシステム１における動作及びシミュレーション方法について説明する。図５は、シミュレーション時のシミュレーションシステム１における処理の流れを説明するフローチャートである。
【００４７】
まず、シミュレーション対象者は、映像表示装置Ａを装着し、入力ユニット５３により操作メニューからシミュレーションメニューを選択操作する。なお、予め映像表示装置Ａの装着者からスクリーンまでの距離や、スクリーンの表示サイズ等、シミュレーション時の設定情報を表示コントローラＢに入力しておくこととする。
【００４８】
シミュレーションシステム１では、シミュレーションメニューが選択されると、まず映像表示装置Ａの表示ユニット２０により、映像表示装置Ａにおける表示条件を設定するための設定画面（図６参照）が表示される。図６に示す設定画面ｄ１では、表示条件として試験映像中のオブジェクトに対する距離感及びズーム比（画角）、コントラストを選択することができる。
【００４９】
この設定画面ｄ１において装着者は各表示条件を選択入力すると（ステップＴ１）、制御ユニット５１の表示制御により当該表示条件に応じた試験映像がメモリ５５から読み出され、プロジェクタＰに出力される。プロジェクタＰでは、当該試験映像がスクリーン上に投影されて表示される。このとき、なお、試験映像はシミュレーション時の設定情報に従って表示される。例えば、設定情報として夜の時間帯における道路歩行の場面が指定された場合は、その場面に応じた試験映像が読み出される。また、スクリーン上に表示された試験映像を装着者の位置から観察した際に、試験映像中のオブジェクトが実物と同サイズに見えるように、スクリーン及び装着者間の距離に応じて試験映像の画角が調整される（画像処理される）。このとき、試験映像の時間帯に合わせてプロジェクタＰの表示条件（明るさ、色合い等）を調整したり、室内の明かりを調整する、或いは環境音（騒音や、自動車の動作音、話し声等）を調整したりして、より実際の場面に近いものとすることが好ましい。
【００５０】
映像表示装置Ａの装着者は、試験映像がスクリーン上に表示されると、入力ユニット５３を介して撮影開始を操作指示する。映像表示装置Ａでは、この操作指示に応じて撮影ユニット３０による撮影が開始され、当該撮影映像が設定画面ｄ１を介して入力された表示条件に従って画像処理された後、表示ユニット２０により装着者の眼前に表示される（ステップＴ２）。
【００５１】
図７に、試験映像の表示例を示す。
映像表示装置Ａでは、試験映像（撮影映像）は画角及びコントラストに応じて画像処理されたものが表示され、例えば木のオブジェクトを含む試験映像の場合、画角３０度のズーム比が設定されると図７（ａ）に示すような試験映像、画角６０度のズーム比が設定されると図７（ｂ）に示す試験映像、画角９０度のズーム比が設定されると図７（ｃ）に示す試験映像が表示される。図７（ａ）〜（ｃ）により画角によって遠近感が変わっていることが分かる。
【００５２】
また、試験映像には、実際に外界を歩行した際に障害物となる木や壁、駅のホームや横断歩道を歩行する際の目印となる白線、階段の縁やホームの縁等、危険が伴う境界等、目視で判断が必要とされるオブジェクトが含まれている。視覚障害者は、画角が極端に狭かったり広かったりするため、実際のオブジェクトに対する距離感がつかめなかったり、コントラスト差や色差が少ないものが見えにくかったりすることが多い。よって、このように実際に外界に存在するようなオブジェクトを試験映像として表示することにより、屋外に出て問題となるような場面を室内で体験することが可能となる。
【００５３】
例えば、小さな段差がある排水溝を想定した図８（ａ）、（ｂ）に示すような試験映像により、遠近感を把握して段差の有無を判断する場面をシミュレーションすることができる。また、噴水等の水たまりがある場所では、水が透明であるため、その縁部分のコントラスト差が小さく縁部分を判断できないような場合がある。よって、図９（ａ）、（ｂ）に示すような試験映像により、水の有無を判断する場面をシミュレーションすることができる。
【００５４】
以上のような試験映像が表示されると、装着者は首を上下左右に動かす等して視点を変えてみる。
映像表示装置Ａでは、センサＣ１により映像表示装置Ａの装着者の動作が監視され、動作が検出されたか否かが判別される（ステップＴ３）。センサＣ１により装着者の動作が検出されない場合（ステップＴ３；Ｎ）、ステップＴ２に戻って試験映像の表示が続けられる。
【００５５】
また、センサＣ１により装着者の動作が検出され、その検出情報が制御ユニット５１に入力されると（ステップＳ３；Ｙ）、制御ユニット５１では、その検出情報に基づいて装着者の動作に応じた試験映像が新たに生成される。生成された試験映像はプロジェクタＰにより表示される（ステップＳ４）。具体的には、図１０に示すように、センサＣ１により検出された回転角度情報に基づいて装着者の移動方向がａ〜ｄの何れの範囲に属するかが判別され、属する範囲に応じた位置にオブジェクトの大きさや位置が変更されたフレーム画像が生成されてスクリーン上に表示される。
【００５６】
このような表示制御により、装着者の動作に伴って試験映像が変化するため、装着者はあたかも外界の視点が変わったかのような疑似体験を行うことができる。装着者は、視点を変えてみて、映像表示装置Ａにより表示される各視点における試験映像を観察し、現在の表示条件が自己の視覚条件に適しているかどうかを判断する。
【００５７】
映像表示装置Ａでは、試験映像の表示が終了すると、再度図６に示すような設定画面ｄ１が表示されるので、装着者は試験映像の観察の結果、その表示条件でよければ、Ｙｅｓキーｄ１３を押下操作し、表示条件を変更したい場合にはＮｏキーｄ１４を押下操作する。なお、このとき、表示条件を変更する際には、変更前の表示条件とその観察の結果（不適切であった旨を示すフラグ情報等）とをメモリ５５に記憶する。これにより、表示条件による観察結果の履歴を残すことができ、後に参照することができる。
【００５８】
設定画面ｄ１においてＹｅｓキーｄ１３が押下操作されると、制御ユニット５１の制御によりステップＴ１で入力した表示条件がメモリ５４に記憶され（ステップＴ５）、表示条件の設定が行われる。設定が終了すると、本処理を終了する。
表示条件の設定後、映像表示装置Ａにより撮影映像等を表示する際には、設定された表示条件に従って、画像処理ユニット５２により画像処理がなされた後、表示ユニット３０により表示されることとなる。
【００５９】
以上のように、第１実施形態によれば、表示条件を変更可能とし、各表示条件に応じた試験映像を室内で映像表示装置Ａに試験的に表示させるので、試験映像により外部から映像表示装置Ａにおける表示条件を検出することができるとともに、屋外で映像表示装置Ａを使用した場面を室内で容易にシミュレーションすることができる。シミュレーションにより、実際の使用態様に近い形で表示条件を決定することができ、映像表示装置Ａの仕様をより装着者に応じたものとすることができる。
【００６０】
また、映像表示装置Ａはシースルー機能により、表示ユニット２０による表示画像と外界像とを同時に観察可能に構成されているので、スクリーン上に表示された試験映像を目視しながら、映像表示装置Ａにより表示されたその撮影映像を参考情報として観察することができ、より現実の使用態様に合ったシミュレーションすることができる。これにより、映像表示装置Ａに不慣れな使用者であっても室内で使用方法を習得したり、練習することができ、安全な環境でシミュレーションすることができる。
【００６１】
また、映像表示装置Ａとして、片眼だけ表示ユニット２０を設けた片眼タイプを説明したが、これに限らず、両眼に表示ユニット２０を設けた両眼タイプを適用することとしてもよい。この場合、両眼で視覚条件が異なることもあるので、左右の各表示ユニット２０については、異なる画角等の表示条件を設定することができる。
【００６２】
なお、第１実施形態におけるシミュレーションシステム１は、本発明を適用した好適な一例であり、これに限定されない。
例えば、上述した説明では、実際の映像表示装置Ａのシースルー機能を鑑みて、スクリーン上に試験映像を表示し、映像表示装置Ａにおいて当該スクリーン上における表示映像を撮影した撮影映像を表示することとしたが、これに限らず、映像表示装置Ａにおいて直接試験映像を表示することとしてもよい。この場合、シミュレーションシステム１は、映像表示装置Ａのみの構成となる。
【００６３】
また、表示条件として画角及びコントラストを設定する例を説明したが、これに限らず、色、鮮鋭性等の他の表示条件を設定することも可能である。
【００６４】
また、視点毎に見やすい画角があるため、視点毎に画角を設定可能な構成としてもよい。図１０に示す例で説明すると、ａの範囲では、信号を見る場合等、上方に視点がある場合が考えられ、この場合画角は広角の方が見やすい。また、ｂの範囲では遠方からの接近物を見ることが多く、広角から中間の画角が好ましい。ｃの範囲では、下方の障害物等を見ることが考えられるため、広角から中間の画角が好ましい。さらに、ｄの範囲では、階段の昇降時等、足下に注意する場合が多く、中間の画角が好ましい。また、これらの例によらない場合でも装着者の視覚条件によっては、視点によって見やすい画角があることが予想されるため、視点毎に画角が変えられることにより、より見やすい映像を提供することができる。
【００６５】
この場合、映像表示装置Ａの装着者が頭の位置を変えて視点を変える毎に所望する表示条件を入力する。映像表示装置Ａでは、視点が変えられる毎に、センサＣ１により得られたその回転角度情報（動作の情報）とともにその際に設定された表示条件を記憶する。そして、実際に映像表示装置Ａを使用する際には、センサＣ１により検出された回転角度情報に応じた表示条件で表示画像を画像処理して表示する。
【００６６】
また、上記の例では、表示条件を変更する毎にその表示条件に応じた試験映像を切替表示することとしたが、これに限らず、図１１に示すように異なる表示条件による試験映像を複数並べて表示することとしてもよい。これにより、異なる表示条件による試験映像を比較検討することができる。
【００６７】
また、図１２に示すように、映像表示装置Ａに通信機能を有するコントローラＦを接続可能な構成とし、当該コントローラＦにより、試験映像の提供及び表示条件の設定を行うこととしてもよい。これにより、装着者以外の者（例えば、映像表示装置Ａの販売員等）がコントローラＦを用いて映像表示装置Ａをリモート操作することができるとともに、映像表示装置Ａにおける表示条件を検出することができる。
【００６８】
図１２を参照して具体的に説明すると、コントローラＦにおいてオペレータにより表示条件が入力されると、コントローラＦは入力された表示条件に応じた試験映像を映像表示装置Ａに出力し、映像表示装置Ａはこれを表示ユニット２０により表示する。映像表示装置Ａの装着者は試験映像によりその表示条件が適切かどうかを判断し、オペレータにその結果を伝える。オペレータは、表示条件を変える場合は、新たな表示条件をコントローラＦに入力し、その表示条件でよければ設定を指示入力する。コントローラＦではオペレータにより表示条件の設定が指示されると、当該表示条件の情報を映像表示装置Ａのメモリ５４に記憶させるとともに、コントローラＦのメモリカードに記憶する。設定結果を映像表示装置Ａの販売元等に通知する場合には、コントローラＦに記憶された表示条件の設定情報を販売元のサーバに送信する、或いはメモリカードを販売元に持ち込み、販売元のコンピュータで読み込む等することができる。販売元は、そのデータを元に映像表示装置の製品を製造、調整し、販売することができる。
【００６９】
さらに、図１３に示すように、Ｗｅｂページを介してシミュレーションすることとしてもよい。
具体的には、販売元のサーバにおいて図１３に示すようなＷｅｂページｄ２を公開し、顧客端末からアクセス可能とする。顧客端末では、Ｗｅｂページｄ２にアクセスすると、所望する距離及びズーム比（画角）、コントラストの表示条件を入力することができる。販売元のサーバでは、顧客端末からＷｅｂページを介して表示条件の入力情報が受信されると、当該入力情報に基づいて表示条件に応じた試験映像を生成し、顧客端末に送信する。顧客端末では、送信された試験映像が表示されるので、顧客は当該試験映像によりその表示条件が適切か否かを判断する。そして、その表示条件でよければＷｅｂページｄ２を介して設定を指示すると、その設定による注文情報が顧客端末から販売元のサーバへ送信され、販売元に対し、顧客が所望する表示条件が設定された映像表示装置の注文が受け付けられる。このようにＷｅｂページを介してシミュレーションする場合、顧客は実際に映像表示装置Ａを装着することなく、表示条件の設定を行うことができる。
【００７０】
〈第２実施形態〉
第２実施形態では、映像表示装置において画角等の表示条件を設定した後、当該表示条件が映像表示装置の装着者にとって適切かどうかをシミュレーションして確認する例を説明する。
【００７１】
図１に、第２実施形態におけるシミュレーションシステム２を示す。
シミュレーションシステム２は、映像表示装置Ａを試験的に装着し、ディスプレイＤに試験映像を表示して、当該表示された試験映像を映像表示装置Ａにおいて撮影及び表示することにより、その仕様や効果を確認するためのシステムである。
【００７２】
まず、構成を説明する。
図１４に示すように、シミュレーションシステム２は、映像表示装置Ａ、表示コントローラＢ、センサＣ２、ディスプレイＤを備えて構成されている。
以下、各構成装置について説明する。
【００７３】
映像表示装置Ａは、第１実施形態における映像表示装置Ａとその基本構成（図２、図３参照）は同一であるため、各部には同一の符号を付し、異なる機能部分についてのみ説明する。
図１５に、第２実施形態における映像表示装置Ａの機能的構成を示す。
図１５に示すように、第２実施形態では、第１実施形態の構成からセンサＣ１及びＩ／Ｆ５５を削除し、通信ユニット５６を追加している。すなわち、映像表示装置Ａは、表示ユニット２０、撮影ユニット３０、コントロールボックス５０から構成されており、コントロールボックス５０内には制御ユニット５１、画像処理ユニット５２、入力ユニット５３、メモリ５４、通信ユニット５６が含まれている。
【００７４】
通信ユニット５６は、表示コントローラＢ等の外部機器と通信を行うための通信手段である。通信方式としてはBluetooth、赤外線方式、無線ＬＡＮ（例えば、ＩＥＥＥ８０２．１１ａ／ｂ／ｇ等）等、様々な方式を適用可能である。
【００７５】
次に、表示コントローラＢ、センサＣ２及びディスプレイＤについて説明する。
表示コントローラＢは、オペレータの操作用コントローラであり、ディスプレイＤにシミュレーション用の試験映像を表示させるとともに、映像表示装置Ａの装着者の動作をセンサＣ２により検出し、当該検出された動作に基づいてディスプレイＤにおける映像の表示制御を行う。
【００７６】
図１６に、表示コントローラＢの内部構成を示す。
図１６に示すように、表示コントローラＢは、制御部６１、操作部６２、表示部６３、通信部６４、記憶部６５、画像メモリ６６、検出部６７、Ｉ／Ｆ６８を備えて構成されている。
【００７７】
制御部６１は、ＣＰＵやＲＡＭ等を備えて構成され、ＣＰＵにより記憶部６５から各種制御プログラムを読み出してＲＡＭに展開し、当該制御プログラムに従って各種演算を行うととも各部を集中制御する。
【００７８】
例えば、制御部６１は、映像メモリ６６から試験映像を読み出してディスプレイＤに出力し、表示させる。このとき、必要であれば試験映像に対する画像処理を行う。また、シミュレーション中にセンサＣ２から検出情報が入力されると、当該検出情報に基づいて、映像表示装置Ａの装着者の動作は予め定められた基準に適合するか否かを判別する。そして、その判別結果を通知するメッセージを生成してディスプレイＤ上に表示させる。すなわち、制御プログラムと制御部６１により、判別手段及び表示制御手段を実現することができる。
【００７９】
操作部６２は、カーソルキーや数字キー、各種機能キーからなるキーボード、マウスやタッチパネル等のポインティングディバイスを備えて構成され、押下されたキーやマウスの操作に対応する操作信号を生成して制御部６１に出力する。
【００８０】
表示部６３は、ＬＣＤ（Liquid Crystal Display）等から構成され、各種操作画面や制御部６１の処理結果等を表示する。
【００８１】
通信部６４は、通信を行うためのインターフェイスを備え、映像表示装置Ａ等の外部機器と各種情報の送受信を行う。
【００８２】
記憶部６５は、各種制御プログラムやそれらプログラムの実行に必要な各種パラメータ、或いはプログラムによる処理結果等を記憶している。
【００８３】
映像メモリ６６は、ディスプレイＤに表示するための試験映像を記憶している。試験映像については、第１実施形態で説明した試験映像と同じものであるので、ここではその詳細な説明を省略する。
【００８４】
Ｉ／Ｆ６７は、表示コントローラＡとセンサＣ２又はディスプレイＤとを接続するインターフェイスである。Ｉ／Ｆ６７は、センサＣ２から入力される検出情報を制御部６１に出力するとともに、制御部６１の表示制御により入力された映像データをディスプレイＤに出力する。
【００８５】
センサＣ２は、図１４に示すように、映像表示装置Ａの装着者の身体に装着され、当該装着者の動作を検出する検出手段である。センサＣ２は、例えばジャイロセンサ及び加速度センサを備えて構成され、ジャイロセンサにより装着者の回転方向における角加速度を検出し、加速度センサにより装着者の加速度を検出する。そして、これらの検出情報をケーブル及びＩ／Ｆ６７を介して表示コントローラＢに出力する。
表示コントローラＢでは、制御部６１において、ジャイロセンサの検出情報に基づいて装着者が移動した方向が算出されるとともに、加速度センサの検出情報に基づいてその移動量が算出される。
【００８６】
ディスプレイＤは、ＬＣＤ等による大型表示装置であり、表示コントローラＤの表示制御に従って入力される映像を表示する表示手段である。
【００８７】
次に、シミュレーションシステム２の動作及びシミュレーション方法について説明する。
第２実施形態では、映像表示装置Ａの装着者が自己の視覚条件に応じた画角等の表示条件を既に設定済みであり、その設定で映像表示装置Ａを使用する場面を上記シミュレーションシステム２でシミュレーションする例を説明する。
【００８８】
図１７は、シミュレーション時のシミュレーションシステム２における処理の流れを説明するフローチャートである。
シミュレーションを行う際、まずオペレータはシミュレーションの環境設定情報（例えば、ディスプレイＤから映像表示装置Ａの装着者までの距離、シミュレーションしたい時間帯（夜や昼間等）や場面等の設定情報）を表示コントローラＢに入力する。また、シミュレーション対象者（映像表示装置Ａの装着者）は、映像表示装置Ａを装着し、電源をＯＮに設定するとともに、センサＣ２を足の甲、膝等、複数箇所に装着する。
【００８９】
シミュレーションシステム２では、図１７に示すように、表示コントローラＢにおいてオペレータによりシミュレーションの設定情報が操作部６２を介して入力されると（ステップＳ１）、制御部６１により入力された設定情報に応じた試験映像が映像メモリ６６から読み出されて画像処理された後、ディスプレイＤに表示される（ステップＳ２）。例えば、設定情報として夜の時間帯における道路歩行の場面が指定された場合は、その場面に応じた試験映像が読み出される。また、ディスプレイＤ上に表示された試験映像を装着者の位置から観察した際に、試験映像中のオブジェクトが実物と同サイズに見えるように、ディスプレイＤ及び装着者間の距離に応じて試験映像の画角が調整される（画像処理される）。なおこのとき、試験映像の時間帯に合わせて室内の明かりを調整する、或いは環境音（騒音や、自動車の動作音、話し声等）を調整したりして、より実際の場面に近いものとすることが好ましい。
【００９０】
そして、映像表示装置Ａにおいて装着者が入力ユニット５３を介して撮影開始の指示操作を行うことにより、映像表示装置Ａでは、撮影ユニット３０による撮影が開始される。撮影ユニット３０により得られた撮影映像は、予め映像表示装置Ａにおいて設定されている表示条件に従って画像処理ユニット５１により画像処理された後、表示ユニット２０により装着者の眼前に表示される。表示される試験（撮影）映像については、第１実施形態において図７〜図９を示した試験映像例と同様であるので、ここでは詳細な説明を省略する。
【００９１】
映像表示装置Ａの装着者は、ディスプレイＤ上に表示された試験映像及び映像表示装置Ａにより表示された撮影映像を観察した結果、その現在表示されている表示条件が適切かどうかを判断する。また、一歩踏み出す、足踏みする等、動作してみる。
【００９２】
装着者の動作は、センサＣ２により監視されており、センサＣ２においてその動作が検出されると、表示コントローラＢにその検出情報が出力される。表示コントローラＢでは、センサＣ２からの検出情報の有無により、装着者の動作が検出されたか否かが判別される（ステップＳ３）。センサＣ２により装着者の動作が検出されない場合（ステップＳ３；Ｎ）、ステップＳ２に戻って試験映像の表示が続行される。一方、センサＣ２により動作が検出され、その検出情報が表示コントローラＢに入力されると（ステップＳ３；Ｙ）、表示コントローラＢでは、制御部６１によりその検出された動作に応じて試験映像の表示内容が変更され、ディスプレイＤ上にその動作に応じた試験映像が表示される（ステップＳ４）。
【００９３】
具体的には、センサＣ２の検出情報に基づいて、制御部６１により装着者の移動量及び移動方向が判別され、当該移動量及び移動方向に応じて試験映像中のオブジェクトや背景の位置や大きさが変更されたフレーム画像が新たに生成されてディスプレイＤ上に表示される。これにより、装着者の動作に伴って試験映像が変化するため、装着者はあたかも自身の動きに伴って外界の景観が変わったかのような疑似体験を行うことができる。
【００９４】
次いで、表示コントローラＢでは、制御部６１により試験映像中のオブジェクトに対して装着者が適切な動作を行ったか否かが判別される（ステップＳ５）。適切な動作を行ったか否かの判別基準は、試験映像の種類によって異なるが、例えば図１８（ａ）に示すような階段のオブジェクトの場合、装着者が適切に階段を下りる動作ができたかどうかが判別される。具体的には、装着者の動作により検出された移動量及び移動方向が、階段を下りることができる動作として予め設定されている移動方向及び移動量の基準（例えば、階段の降下に成功する移動方向、移動量の範囲が定められているもの）に適合するか否かにより判別される。
【００９５】
装着者の移動方向及び移動量が予め設定されている基準に適合する場合（ステップＳ５；Ｙ）、装着者はオブジェクトに対して適切な動作を行ったと判断され、図１８（ｂ）に示すように、その判断結果としてオブジェクトに対する動作が成功した旨を示すメッセージがディスプレイＤ上に表示される（ステップＳ６）。一方、装着者の移動方向及び移動量が予め設定されている基準に相当しない場合（ステップＳ７；Ｎ）、装着者はオブジェクトに対して適切な動作をできなかったと判断され、図１８（ｃ）に示すように、その判断結果としてオブジェクトに対する動作が失敗した旨を示すメッセージがディスプレイＤ上に表示される（ステップＳ７）。判断結果が表示されると、本処理を終了する。
【００９６】
ディスプレイＤ上に表示された判断結果は、映像表示装置Ａの表示ユニット２０により装着者の眼前においても表示される。装着者は、その判断結果を、映像表示装置Ａに既に設定されている表示条件の良否を判断する際の判断材料とすることができる。
【００９７】
以上のように、第２実施形態によれば、ディスプレイＤ上に試験映像を表示し、映像表示装置Ａの撮影ユニット３０によりディスプレイＤ上に表示された映像を撮影し、その撮影映像を装着者の眼前に表示する。そして、試験映像に対する装着者の動作を検出し、その移動量等に応じて装着者の動作が適切であるか否かを判断し、その判断結果をディスプレイＤ上に表示するので、装着者は映像表示装置Ａにおける表示条件の設定が適切か否かを室内で容易に確認することができる。
【００９８】
また、映像表示装置Ａはシースルー機能により、表示ユニット２０による表示画像と外界像とを同時に観察可能に構成されているので、ディスプレイＤ上に表示された試験映像を目視しながら、映像表示装置Ａにより表示されたその撮影映像を参考情報として観察することができ、より現実の使用態様に合ったシミュレーションを行うことができる。これにより、映像表示装置Ａに不慣れな使用者であっても室内で使用方法を習得したり、練習することができ、安全な環境でシミュレーションすることができる。
【００９９】
また、ディスプレイＤ上に表示された試験映像により、外部から映像表示装置Ａにおける表示条件を検出することができる。
【０１００】
なお、第２実施形態におけるシミュレーションシステム２は、本発明を適用した好適な一例であり、これに限定されるものではない。
例えば、上述した説明では、実際の映像表示装置Ａの使用態様を鑑みて、スクリーンＤを用いてこれに試験映像を表示し、映像表示装置Ａにおいて当該スクリーンＤにおける表示映像を撮影した撮影映像を表示することとしたが、これに限らず、映像表示装置Ａにおいて直接試験映像を表示することとしてもよい。この場合、シミュレーションシステム２は、映像表示装置Ａのみの簡易な構成となり、当該映像表示装置Ａに表示コントローラＢの機能が集約されることとなる。
【０１０１】
また、表示コントローラＢの機能を映像表示装置Ａのコントロールボックス５０に集約し、第１実施形態のようにコントロールボックス５０とプロジェクタを接続可能とし、このプロジェクタを制御部５１により表示制御することによって試験映像をスクリーン上に投影させることとしてもよい。
【０１０２】
また、センサＣ２としては、第２実施形態で示したような装着者に装着して使用するタイプの他、装着者の足下に敷いて装着者の足の位置を検出するマットタイプ、磁気センサや超音波センサを用いたタイプ、電波を検出するタイプ等、他のセンサを適用することとしてもよい。また、装着者の足にＩＣタグと交信を行う受信チップを設けるとともに、ＩＣタグを埋め込んだマットを装着者の足下に設置し、当該ＩＣタグの検出状況により装着者の動作を検出することとしてもよい。
【０１０３】
また、階段を模した踏み台や電柱の模型等、実際の屋外の場面を想定した模型を装着者の周辺に設置することとしてもよい。これにより、装着者に臨場感を持たせることができる。さらに、模型を設置した場合にはセンサＣ２として測距センサを設け、実際に模型と装着者の距離を測定し、模型に対する装着者の動作が適切かどうかを判断することとしてもよい。
【０１０４】
また、映像表示装置Ａは、片眼だけ表示ユニット２０を設けた片眼タイプに適用した例を説明したが、これに限らず、両眼に表示ユニット２０を設けた両眼タイプであっても適用可能である。このとき、左右の各表示ユニット２０のそれぞれについて、異なる表示条件が設定されている場合であっても、個々にその表示条件を確認することができる。
【０１０５】
また、上述した説明では、シミュレーションにより映像表示装置Ａの表示条件を確認できる例を説明したが、シミュレーションにより映像表示装置Ａを使用した歩行訓練等を行うことができるものとしてもよい。この場合も同様に、試験映像に対する装着者の動作を検出し、その適否を判断した判断結果を表示する。訓練の場合は判断を複数回行い、その結果に応じて採点することとしてもよい。また、判断結果を統計し、装着者が苦手な場面の情報を提供することとしてもよい。例えば、階段のオブジェクトに対する動作を失敗することが多い装着者には、「距離感がつかみづらいようです。階段に気を付けましょう」等のメッセージを表示する。
【図面の簡単な説明】
【０１０６】
【図１】第１実施形態におけるシミュレーションシステムのシステム構成を示す図である。
【図２】映像表示装置を示す図である。
【図３】図２の表示ユニット２０を示す図である。
【図４】映像表示装置の機能的構成を示す図である。
【図５】第１実施形態のシミュレーションシステムにおける処理の流れを説明するフローチャートである。
【図６】表示条件の設定画面例を示す図である。
【図７】（ａ）〜（ｃ）は、表示条件が異なる試験映像例を示す図である。
【図８】（ａ）、（ｂ）は、表示条件が異なる試験映像例を示す図である。
【図９】（ａ）、（ｂ）は、表示条件が異なる試験映像例を示す図である。
【図１０】映像表示装置の装着者の視点について説明する図である。
【図１１】表示条件が異なる試験映像を並べて表示した例を示す図である。
【図１２】シミュレーションシステムの他の実施形態を示す図である。
【図１３】Ｗｅｂページを用いた場合のシミュレーションシステムを示す図である。
【図１４】第２実施形態におけるシミュレーションシステムを示す図である。
【図１５】図１４に示す映像表示装置の機能的構成を示す図である。
【図１６】図１４に示す表示コントローラの内部構成を示す図である。
【図１７】第２実施形態のシミュレーションシステムにおける処理の流れを説明するフローチャートである。
【図１８】（ａ）は試験映像例を示す図であり、（ｂ）は試験映像に対する映像表示装置の装着者の動作が適切であるとの判断結果の表示例を示す図であり、（ｃ）は装着者の動作が不適切であるとの判断結果の表示例を示す図である。
【符号の説明】
【０１０７】
１    シミュレーションシステム（第１実施形態）
２    シミュレーションシステム（第２実施形態）
Ａ    映像表示装置
Ｂ    表示コントローラ
Ｃ１、Ｃ２    センサ
Ｄ    ディスプレイ
Ｐ    プロジェクタ
【図１】
2006208999.tif 000003
【図２】
2006208999.tif 000004
【図３】
2006208999.tif 000005
【図４】
2006208999.tif 000006
【図５】
2006208999.tif 000007
【図６】
2006208999.tif 000008
【図７】
2006208999.tif 000009
【図８】
2006208999.tif 000010
【図９】
2006208999.tif 000011
【図１０】
2006208999.tif 000012
【図１１】
2006208999.tif 000013
【図１２】
2006208999.tif 000014
【図１３】
2006208999.tif 000015
【図１４】
2006208999.tif 000016
【図１５】
2006208999.tif 000017
【図１６】
2006208999.tif 000018
【図１７】
2006208999.tif 000019
【図１８】
2006208999.tif 000020